(57)【要約】【課題】運動を行なっている者の脈拍数を測定する際に使用される、携帯式の脈拍計と、その脈拍計の装着方法を提供する。【解決手段】人体に向けて光を照射する発光素子４と、その光が人体内を透過して反射・散乱し、人体の表面に戻る光を受光する受光素子５を備えた光電脈波検出方式の脈拍計１であって、前記発光素子４及び受光素子５から成る検出部６と、検出部６によって検出された情報を表示する表示部７を、手に装着する装着部材３に取り付けている。そして、検出部６は、手の平Ｐ１側の皮膚に接し、表示部７も手の平Ｐ１側に位置するように装着部材３に取り付けられている。また、他の形態として、検出部６は、手の平Ｐ１側の皮膚に接し、表示部７は、手の甲Ｐ２側に位置するように装着部材３に取り付けられている。【選択図】　　　　　図１
2004065911.tif 000002
【特許請求の範囲】
【請求項１】
人体に向けて光を照射する発光素子と、その光が人体内を透過して反射・散乱し、人体の表面に戻る光を受光する受光素子を備えた光電脈波検出方式の脈拍計であって、前記発光素子及び受光素子から成る検出部と、検出部によって検出された情報を表示する表示部を、手に装着する装着部材に取り付けたことを特徴とする脈拍計。
【請求項２】
検出部は、手の平側の皮膚に接するように装着部材に取り付けられている請求項１に記載の脈拍計。
【請求項３】
検出部は、手の平側の皮膚に接し、表示部も手の平側に位置するように装着部材に取り付けられている請求項１に記載の脈拍計。
【請求項４】
検出部は、手の平側の皮膚に接し、表示部は、手の甲側に位置するように装着部材に取り付けられている請求項１に記載の脈拍計。
【請求項５】
装着部材は、環状に形成されている請求項１乃至４のいずれかに記載の脈拍計。
【請求項６】
装着部材の全部又は一部は、伸縮性を備えている請求項１乃至５のいずれかに記載の脈拍計。
【請求項７】
装着部材に、長さ調節機構を設けている請求項１乃至６のいずれかに記載の脈拍計。
【請求項８】
装着部材は、略Ｕ字状に形成されている請求項１乃至４のいずれかに記載の脈拍計。
【請求項９】
装着部材の開放側端部に、脱落防止用のストラップを設けている請求項８に記載の脈拍計。
【請求項１０】
人体に向けて光を照射する発光素子と、その光が人体内を透過して反射・散乱し、人体の表面に戻る光を受光する受光素子を備えた光電脈波検出方式の脈拍計を用い、前記発光素子及び受光素子から成る検出部と、検出部によって検出された情報を表示する表示部を、装着部材を介して手に装着することを特徴とする脈拍計の装着方法。
【請求項１１】
検出部は、手の平側の皮膚に接するように手に装着される請求項１０に記載の脈拍計の装着方法。
【請求項１２】
検出部は、手の平側の皮膚に接し、表示部は、手の甲側に位置するように手に装着される請求項１０に記載の脈拍計の装着方法。
【発明の詳細な説明】
【０００１】
【発明の属する技術分野】
本発明は、運動を行なっている者の脈拍数を測定する際に使用される、携帯式の脈拍計と、その脈拍計の装着方法に関するものである。
【０００２】
【従来の技術】
人間の健康を維持するためには、ウォーキングやジョギング等の軽い運動が不可欠である。このとき、適切な運動量（運動の強度）を認識するために、運動を行なっている者の脈拍数の測定が行なわれる。
【０００３】
この様な運動を行なっている者の脈拍数を測定する際に使用される従来の脈拍計としては、例えば、胸バンド等を用いて所定の電極を胸に装着し、心臓の活動電位の時間的変化を検出するものや、指先や耳たぶ等にセンサーを装着して光電脈波を検出するもの等がある。
【０００４】
【発明が解決しようとする課題】
しかしながら、従来の脈拍計においては、以下の様な弊害が生じている。すなわち、所定の電極を胸に装着して心臓の活動電位の時間的変化を検出する脈拍計は、運動時における体動の影響を比較的に受け難いため、運動を行なっている際においても脈拍数を正確に測定できるものであるが、胸部を裸にしないと電極を装着できないため、屋外等の着替える場所がない場合等においては、裸になって電極を装着したり取り外す作業が非常にやり難いものである。特に、女性においては、人前で裸になって電極を装着したり取り外すことは、現実的に困難である。
【０００５】
また、電極を胸に装着するために胸バンド等を用いたときは、この胸バンドにより胸部が締め付けられるため、長時間に渡って電極を胸に装着していると著しい不快感が生じ易い。
【０００６】
一方、指先や耳たぶ等にセンサーを装着して光電脈波を検出する脈拍計は、運動時における体動の影響を受け易いため、ウォーキングやジョギング等の運動を行なっている最中に正確な脈拍数を測定することは困難であった。このため、実際に脈拍数を測定するときは、立ち止まる等して運動を一時中断し、所定の時間が経過してからでないと脈拍数の正確な測定ができないという弊害が生じていた。
【０００７】
また、耳たぶ等から光電脈波の検出を行なうときは、光電脈波の検出器と表示器とを電気的に接続する長い配線が必要となり、この配線は、身体を動かす際に邪魔になって非常に煩わしいものであった。
【０００８】
同様に、指先等にセンサーを装着するときも、指先のセンサーと表示器とを電気的に接続する長い配線が必要であり、この配線が邪魔になっていた。
【０００９】
さらに、センサー自体が指先を覆うように装着されるため、指先が器用に使えない状態となり、指先に不快感も生じ易かった。
【００１０】
そこで本発明は、叙上のような従来存した問題点に鑑み創出されたもので、検出部が手の平側に位置するように脈拍計を手に装着し、その検出部を手で握ることにより、検出部が手の平の皮膚面に強く押し付けられて密着した状態を造り出し、ウォーキングやジョギング等の運動を行なっている最中であっても脈拍数を正確に測定すると共に、手への装着が極めて容易である脈拍計と、その脈拍計の装着方法を提供することを目的としたものである。
【００１１】
【課題を解決するための手段】
このため、本発明に係る脈拍計は、人体に向けて光を照射する発光素子と、その光が人体内を透過して反射・散乱し、人体の表面に戻る光を受光する受光素子を備えた光電脈波検出方式の脈拍計であって、前記発光素子及び受光素子から成る検出部と、検出部によって検出された情報を表示する表示部を、手に装着する装着部材に取り付けたことで、上述した課題を解決した。
【００１２】
また、検出部は、手の平側の皮膚に接するように装着部材に取り付けられていることで、同じく上述した課題を解決した。
【００１３】
さらに、検出部は、手の平側の皮膚に接し、表示部も手の平側に位置するように装着部材に取り付けられていることで、同じく上述した課題を解決した。
【００１４】
また、検出部は、手の平側の皮膚に接し、表示部は、手の甲側に位置するように装着部材に取り付けられていることで、同じく上述した課題を解決した。
【００１５】
この他、装着部材は、環状に形成されていることで、同じく上述した課題を解決した。
【００１６】
また、装着部材の全部又は一部は、伸縮性を備えていることで、同じく上述した課題を解決した。
【００１７】
加えて、装着部材に、長さ調節機構を設けていることで、同じく上述した課題を解決した。
【００１８】
また、装着部材は、略Ｕ字状に形成されていることで、同じく上述した課題を解決した。
【００１９】
さらに、装着部材の開放側端部に、脱落防止用のストラップを設けていることで、同じく上述した課題を解決した。
【００２０】
一方、脈拍計の装着方法においては、人体に向けて光を照射する発光素子と、その光が人体内を透過して反射・散乱し、人体の表面に戻る光を受光する受光素子を備えた光電脈波検出方式の脈拍計を用い、前記発光素子及び受光素子から成る検出部と、検出部によって検出された情報を表示する表示部を、装着部材を介して手に装着することで、同じく上述した課題を解決した。
【００２１】
また、検出部は、手の平側の皮膚に接するように手に装着されることで、同じく上述した課題を解決した。
【００２２】
さらに、検出部は、手の平側の皮膚に接し、表示部は、手の甲側に位置するように手に装着されることで、同じく上述した課題を解決した。
【００２３】
本発明に係る脈拍計と、その脈拍計の装着方法は、人間が早く歩いたり走る等の運動を行なうとき、多くの者が手を握り込む傾向があることに着目し、手の平側に脈拍計の検出部を配置させたものである。
【００２４】
すなわち、光電脈波を検出する検出部を手の平側（掌部）に配置すると、使用者は、ウォーキングやジョギング等の運動を行なっているときに、自然と検出部を手で握ることになる。この様に、検出部が手で握られると、検出部は手の平の皮膚面に強く押し付けられて密着した状態となるため、検出部により安定した光電脈波の検出が行なわれる。さらに、所定の重量を有する脈拍計が手の中に握り込まれることにより、手を動かしたときの皮膚面に対する検出部の揺れが少なくなり、光電脈波を検出する際における体の動きの影響が軽減されるため、歩行時や走行時等であっても使用者の光電脈波を正確に検出できる。その結果、運動を行なっている者の脈拍数を正確に測定できるのである。
【００２５】
【発明の実施の形態】
以下に、図面を参照して本発明の一実施の形態を説明する。図１乃至図４は、本発明に係る脈拍計１の第１の実施の形態を示している。
【００２６】
この脈拍計１は、図１・図２に示すように、脈拍計本体２と、この脈拍計本体２を手に着脱自在に装着する装着部材３とから成る。脈拍計本体２は、図１・図３に示すように、発光素子４及び受光素子５から成る光電脈波の検出部６と、検出部６によって検出された情報を外部に表示する表示部７を備えている。装着部材３は、図３に示すように、手の平Ｐ１から手の甲Ｐ２にかけて巻回できる環状に形成されている。そして、図１に示すように、脈拍計本体２は、手の平Ｐ１側に位置するように装着部材３に取り付けられている。
【００２７】
手の平Ｐ１側に装着される脈拍計本体２は、図３に示すように、手の平Ｐ１側の皮膚に当接する部分に透明窓部８が設けられている。この透明窓部８の内部には、発光素子４と受光素子５が設置されている。発光素子４は、手の平Ｐ１の皮膚に向けて光を照射するものである。受光素子５は、皮膚内を透過し、散乱した後に皮膚表面に戻ってくる光を受光するものである。この発光素子４と受光素子５から成る検出部６により、いわゆる光電脈波を検出するのである。そして、得られた光電脈波から脈と脈の間の時間的間隔が計数され、１分間当たりの脈拍数値が計算されて表示部７に表示される。
【００２８】
具体的には、脈拍計本体２は、図１に示すように、その表面側に、例えば、液晶パネル等により形成された表示部７を備え、この表示部７の下方に、２つの操作ボタン９，１０を設けている。また、脈拍計本体２の裏面側には、図３に示すように、略中央に設けた所定の凹所に透明窓部８が収容され、この透明窓部８の内部に、発光素子４と受光素子５が隣接して配置されている。そして、この脈拍計本体２は、図３に示すように、装着部材３により、検出部６の透明窓部８が、手の平Ｐ１側の皮膚に密着した状態となるように手に装着される。
【００２９】
脈拍計本体２に設けた一方の操作ボタン９は、脈拍計本体２の動作モードの切り替えを行なうものである。例えば、操作ボタン９を押す毎に、脈拍計本体２の脈拍測定機能と時計表示機能とが切り替わるのである。また、例えば、操作ボタン９を２秒間以上押すと、所定の設定モードに切り替わるものである。この設定モードの状態においては、例えば、脈拍が所定数値に達すると脈拍計本体２が所定の警報シグナルを発するとき、他方の操作ボタン１０を押して、その脈拍数値を設定したり、また、シグナルの種類について、音，光，振動等を選択するものである。そして、設定モードでない状態においては、操作ボタン１０を押して表示部７内を点灯させたりする。尚、操作ボタン９，１０の操作と脈拍計本体２の機能は、上述したものに限定されることはなく、例えば、操作ボタン９，１０を同時に２秒間以上押すと設定モードに切り替わる等、どの様なものであっても差し支えない。
【００３０】
また、装着部材３は、図１乃至図４に示すように、脈拍計本体２の両側に配置されたバンド１１，１２と、このバンド１１，１２に接続されてその長さを調節できる弓１３，１４とから成る。弓１３，１４におけるそれぞれの端部は、図４に示すように、長さ調節機構Ｒを備えている鞘１５に挿入されている。鞘１５は、図３・図４に示すように、略方形状の２枚の板材を所定の隙間１５Ａが生じるように接合し、全体を筒状に形成している。
【００３１】
長さ調節機構Ｒは、図４に示すように、鞘１５の隙間１５Ａ内に、所定の間隔を開けて並設した一対の係止バネ１６，１７を備えている。それぞれの係止バネ１６，１７の先端部は、略くの字型に屈曲形成されている。
【００３２】
一方、鞘１５の隙間１５Ａ内に挿入される弓１３，１４の端部の一側面には、複数の凹部１８，１９が連続して設けられている。そして、図４に示すように、係止バネ１６，１７の屈曲した先端部が、弓１３，１４の凹部１８，１９における所定の位置に係合している。この様にして、鞘１５の隙間１５Ａ内に挿入されている弓１３，１４の端部の位置を移動させて係止バネ１６，１７により固定し、バンド１１，１２と弓１３，１４から成る装着部材３全体の長さを、装着する手の大きさに合わせて調節するのである。さらに、バンド１１，１２が伸縮性を備えているときは、脈拍計本体２を、手の平Ｐ１の皮膚にしっかりと密着させることができる。同時に、手の大きさが多少異なる場合であっても、脈拍計本体２を、手の平Ｐ１の皮膚にしっかりと密着した状態で装着できる。この他、図３・図４に示すように、鞘１５を構成する板材の一面（手の甲Ｐ２に接する面）に、所定のクッション部材２０を取り付けたときは、装着部材３を介して脈拍計本体２を手に装着した際の装着感が非常に良いものとなる。
【００３３】
尚、図１・図２に示す装着部材３は、手の平Ｐ１側にバンド１１，１２が位置し、手の甲Ｐ２側に弓１３，１４と鞘１５が配置されているが、これに限定されることはなく、例えば、手の平Ｐ１側に弓１３，１４と鞘１５、手の甲Ｐ２側にバンド１１，１２を配置しても、同様の機能を持たせることができる。また、装着部材３の全体を、伸縮性を備えた部材により形成しても良い。さらに、脈拍計１の製作時において、脈拍計本体２と装着部材３を一体的に形成しても良いし、また、装着部材３に対して、脈拍計本体２が着脱可能となるように形成しても良い。
【００３４】
図５は、本発明に係る脈拍計１の第２の実施の形態を示している。この脈拍計１は、装着部材３０として、手の指を除いて、手の平Ｐ１と手の甲Ｐ２の全体を覆う手袋状のものを用いている。そして、図５に示すように、脈拍計１の検出部６を手の平Ｐ１側に配置し、表示部７を手の甲Ｐ２側に配置させている。この場合、検出部６と表示部７とを、配線２１により電気的に接続する。こうして、検出部６を手の平Ｐ１側に配置し、この検出部６を手で握った状態においても、手の甲Ｐ２側に配置された表示部７によって、計測した脈拍数を知ることができる。
【００３５】
図６乃至図８は、本発明に係る脈拍計１の第３の実施の形態を示している。この脈拍計１は、図６に示すように、装着部材３００として、略Ｕ字状の弾性部材を用いている。そして、図７に示すように、この装着部材３００の一端側に、検出部６と表示部７を備えている脈拍計本体２を配している。また、図８に示すように、装着部材３００の他端側に、若干幅広に形成された甲押え部３０１を設けている。
【００３６】
この脈拍計１は、図７に示すように、手の親指側・人差指側から小指側に向けて、手の平Ｐ１・手の甲Ｐ２を跨ぐようにして、略Ｕ字状の装着部材３００を手に装着する。そして、脈拍計本体２は、図７に示すように、手の平Ｐ１側に配置する。このとき、装着部材３００が弾性部材を用いて形成されているため、程良い押圧力をもって脈拍計本体２の検出部６を手の平Ｐ１の皮膚に押し付けることができる。また、装着部材３００が、不意に手から外れてしまうこともない。
【００３７】
この他、図９乃至図１１に示すように、装着部材３００と甲押え部３０１の間に、所定のバネ部材２２を取り付けても良い。このとき、装着部材３００と甲押え部３０１とを別体に構成し、所定の棒部材２３を介して装着部材３００に甲押え部３０１を回動可能に取り付けている。すなわち、図９・図１１に示すように、甲押え部３０１に設けた一対の脚２４の間に、装着部材３００に設けた同じく一対の脚２５を配置し、それぞれの脚２４，２５に棒部材２３を貫装させている。そして、バネ部材２２は、装着部材３００の脚２５の間に位置し、棒部材２３により保持されている。また、図１１に示すように、バネ部材２２の一端部は甲押え部３０１に当接し、バネ部材２２の他端部は、装着部材３００に当接している。このバネ部材２２は、脈拍計１の甲押え部３０１が外向きに開いたとき、検出部６と表示部７を備えている脈拍計本体２側に甲押え部３０１を戻す付勢力を保持している。このとき、図９・図１０に示すように、甲押え部３０１にクッション部材２６を取り付けておくと、手への装着感が非常に良いものとなる。
【００３８】
図１２乃至図１５は、本発明に係る脈拍計１の第４の実施の形態を示している。この脈拍計１は、図１２に示すように、略Ｕ字状の装着部材３００の一端側に発光素子４及び受光素子５から成る光電脈波の検出部６を設けている。また、図１３に示すように、装着部材３００の他端側に、検出部６によって検出された情報を外部に表示する表示部７を設けている。
【００３９】
そして、検出部６を手の平Ｐ１側に配置し、また、表示部７を手の甲Ｐ２側に配置して、装着部材３００を介して脈拍計１を手に装着する。このとき、図１４・図１５に示すように、装着部材３００の開放側端部に、脱落防止用のストラップ２７を設けておくと、脈拍計１の手への装着状態を確実に維持できる。このストラップ２７は、ストラップ２７の両端部が装着部材３００の開放側端部に固定されていても良いし、また、ストラップ２７の一端が、例えば、装着部材３００の検出部６側に固定され、ストラップ２７の他端が、装着部材３００の表示部７側に着脱自在に固定されるものであっても良い。さらに、ストラップ２７を、伸縮性を備えた素材を用いて作成すると、手に脈拍計１を装着したときの装着感がより好ましいものとなる。
【００４０】
次に、本発明に係る脈拍計１の使用の一例を、第１の実施の形態に基づいて説明する。例えば、図１・図３に示すように、検出部６と表示部７を備えている脈拍計本体２を、装着部材３を構成する伸縮可能なバンド１１，１２と弓１３，１４等により、手の平Ｐ１に密着させるように装着する。この際、バンド１１，１２等の長さが手の大きさに合わないときは、長さ調節機構Ｒにおいて、弓１３，１４の端部を鞘１５の隙間１５Ａ内から引き出したり、隙間１５Ａ内に押し込むことで、全体の長さを調節する。
【００４１】
そして、図１・図３に示すように、光電脈波を検出する検出部６を手の平Ｐ１側（掌部）に配置すると、使用者は、ウォーキングやジョギング等の運動を行なっているときに、自然と検出部６を手で握ることになる。この様に、検出部６が手で握られると、検出部６は手の平Ｐ１の皮膚面に強く押し付けられて密着した状態となるため、検出部６により安定した光電脈波の検出が行なわれる。さらに、所定の重量を有する脈拍計１が手の中に握り込まれることにより、手を動かしたときの皮膚面に対する検出部６の揺れが少なくなり、光電脈波を検出する際における体の動きの影響が軽減されるため、歩行時や走行時等であっても使用者の光電脈波を正確に検出できる。
【００４２】
この様に、本発明に係る脈拍計１は、人間が早く歩いたり走る等の運動を行なうとき、多くの者が、手を握り込む傾向があることに着目し、手の平Ｐ１側に脈拍計１の検出部６を配置させたものである。そして、運動を行なっている者が検出部６を手で握り込むことで、検出部６を手の平Ｐ１の皮膚面に強く押し付けて検出部６により光電脈波を確実に検出し、脈拍数を常に正確に測定するのである。
【００４３】
【発明の効果】
本発明は、人体に向けて光を照射する発光素子４と、その光が人体内を透過して反射・散乱し、人体の表面に戻る光を受光する受光素子５を備えた光電脈波検出方式の脈拍計１であって、前記発光素子４及び受光素子５から成る検出部６と、検出部６によって検出された情報を表示する表示部７を、手に装着する装着部材３に取り付けたことから、脈拍計１を手に簡単に装着して、ウォーキングやジョギング等の運動を行なっている者の脈拍数を正確に測定できる。そのため、使用者は、常に適切な運動量（運動の強度）を認識できるため、例えば、運動量が多すぎて心臓に負担をかけてしまう様な事態の発生を確実に回避できる。
【００４４】
また、脈拍計１を、装着部材３を介して手に装着するため、脈拍計１の着脱が極めて容易であり、老若男女を問うことなく、誰もが運動を行なっている際の脈拍数を正確に測定できる。勿論、所定の電極を胸部に装着する手順等は存在しないため、使用者が裸になる必要もない。
【００４５】
さらに、脈拍計１を、装着部材３を介して手に装着するため、長時間に渡って脈拍計１を使用しても、不快感は全く生じない。
【００４６】
また、所定の検出部６と表示部７とを電気的に接続する長い配線等は全く不用であり、脈拍計１の小型化を実現している。この他、長い配線等が不用であることから、身体を動かす際にこの配線が邪魔になることがない。そして、配線を無くすための無線送受信回路も、勿論必要ない。
【００４７】
本発明に係る脈拍計１は、人間が早く歩いたり走る等の運動を行なうとき、多くの者が、手を握り込む傾向があることに着目し、手の平Ｐ１側に検出部６を配置させたものである。
【００４８】
具体的には、検出部６は、手の平Ｐ１側の皮膚に接するように装着部材３に取り付けられているため、使用者は、ウォーキングやジョギング等の運動を行なっているときに、自然と検出部６を手で握ることになる。この様に、検出部６が手で握られると、検出部６は手の平Ｐ１の皮膚面に強く押し付けられて密着した状態となるため、検出部６により安定した光電脈波の検出が行なわれる。
【００４９】
さらに、検出部６は、手の平Ｐ１側の皮膚に接し、表示部７も手の平側Ｐ１に位置するように装着部材３に取り付けられているときは、所定の重量を有する脈拍計１の主要部が手の中に握り込まれることにより、手を動かしたときの皮膚面に対する検出部６の揺れが少なくなり、光電脈波を検出する際における体の動きの影響が軽減されるため、歩行時や走行時であっても使用者の光電脈波を正確に検出できる。その結果、運動を行なっている者の脈拍数を常に正確に測定できる。勿論、測定に際して、立ち止まる等して運動を一時中段する必要性もない。
【００５０】
また、検出部６は、手の平Ｐ１側の皮膚に接し、表示部７は、手の甲Ｐ２側に位置するように装着部材３に取り付けられているときは、検出部６を手で握っている状態においても、手の甲Ｐ２側に配置された表示部７によって、計測した脈拍数を知ることができる。
【００５１】
その結果、ウォーキングやジョギング等の運動を行なっているときに、検出部６を握っている手を開く必要がなく、手の甲Ｐ２側の表示部７を確認することにより、即座に脈拍数を知ることができる。
【００５２】
加えて、装着部材３は、環状に形成されていることから、手の平Ｐ１から手の甲Ｐ２にかけて装着部材３を簡単に巻回し、脈拍計１を手に装着できる。また、装着部材３が不意に手から外れてしまうこともない。
【００５３】
また、装着部材３の全部又は一部は、伸縮性を備えているので、検出部６を手の平Ｐ１の皮膚にしっかりと密着させることができる。同時に、手の大きさが多少異なる場合であっても、検出部６を、手の平Ｐ１の皮膚にしっかりと密着した状態で装着できる。
【００５４】
さらに、装着部材３に、長さ調節機構Ｒを設けているので、どの様な大きさの手であっても、装着部材３を介して脈拍計１を手に簡単に装着できる。
【００５５】
また、装着部材３００は、略Ｕ字状に形成されているので、例えば、手の親指側・人差指側から小指側に向けて、手の平Ｐ１・手の甲Ｐ２を跨ぐようにして、略Ｕ字状の装着部材３００を手に簡単に装着できる。同時に、装着部材３００の取り外しも極めて容易である。
【００５６】
この他、装着部材３００の開放側端部に、ストラップ２７を設けたときには、略Ｕ字状に形成された装着部材３００の手への装着状態を確実に維持できる。
【００５７】
一方、本発明に係る脈拍計の装着方法において、検出部６は、手の平Ｐ１側の皮膚に接するように手に装着されるため、運動を行なっている者が検出部６を手で握り込むことで、検出部６を手の平Ｐ１の皮膚面に強く押し付けて検出部６により光電脈波を確実に検出し、脈拍数を常に正確に測定できるのである。
【図面の簡単な説明】
【図１】環状の装着部材を介して脈拍計本体を手の平側に装着した脈拍計の使用状態における手の平側の斜視図である。
【図２】環状の装着部材を介して脈拍計本体を手の平側に装着した脈拍計の使用状態における手の甲側の斜視図である。
【図３】図１中のＸ−Ｘ断面図である。
【図４】装着部材の長さ調節機構の構成を示した手の甲側の斜視図である。
【図５】手袋状の装着部材を用いて脈拍計を手に装着した脈拍計の使用状態における手の甲側の斜視図である。
【図６】略Ｕ字状の装着部材を備えている脈拍計の構成を示した斜視図である。
【図７】略Ｕ字状の装着部材を介して脈拍計本体を手の平側に装着した脈拍計の使用状態における手の平側の斜視図である。
【図８】略Ｕ字状の装着部材を介して脈拍計本体を手の平側に装着した脈拍計の使用状態における手の甲側の斜視図である。
【図９】略Ｕ字状の装着部材と甲押え部を、所定のバネ部材を介して連結している脈拍計の構成を示した斜視図である。
【図１０】略Ｕ字状の装着部材と甲押え部を、所定のバネ部材を介して連結している脈拍計の構成を示した側面図である。
【図１１】略Ｕ字状の装着部材と甲押え部を、所定のバネ部材を介して連結している脈拍計の構成を示した甲押え部側の平面図である。
【図１２】略Ｕ字状の装着部材を介して検出部を手の平側に配した脈拍計の使用状態における手の平側の斜視図である。
【図１３】略Ｕ字状の装着部材を介して表示部を手の甲側に配した脈拍計の使用状態における手の甲側の斜視図である。
【図１４】ストラップを備えた略Ｕ字状の装着部材を介して検出部を手の平側に配した脈拍計の使用状態における手の平側の斜視図である。
【図１５】ストラップを備えた略Ｕ字状の装着部材を介して表示部を手の甲側に配した脈拍計の使用状態における手の甲側の斜視図である。
【符号の説明】
Ｐ１…手の平　　　　　　　　　　Ｐ２…手の甲
Ｒ…長さ調節機構
１…脈拍計　　　　　　　　　　　２…脈拍計本体
３，３０，３００…装着部材　　　４…発光素子
５…受光素子　　　　　　　　　　６…検出部
７…表示部　　　　　　　　　　　８……透明窓部
９，１０…操作ボタン　　　　　　１１，１２…バンド
１３，１４…弓　　　　　　　　　１５…鞘
１５Ａ…隙間　　　　　　　　　　１６，１７…係止バネ
１８，１９…凹部　　　　　　　　２０，２６…クッション部材
２１…配線　　　　　　　　　　　２２…バネ部材
２３…棒部材　　　　　　　　　　２４，２５…脚
２７…ストラップ
３０１…甲押え部
【図１】
2004065911.tif 000003
【図２】
2004065911.tif 000004
【図３】
2004065911.tif 000005
【図４】
2004065911.tif 000006
【図５】
2004065911.tif 000007
【図６】
2004065911.tif 000008
【図７】
2004065911.tif 000009
【図８】
2004065911.tif 000010
【図９】
2004065911.tif 000011
【図１０】
2004065911.tif 000012
【図１１】
2004065911.tif 000013
【図１２】
2004065911.tif 000014
【図１３】
2004065911.tif 000015
【図１４】
2004065911.tif 000016
【図１５】
2004065911.tif 000017